(57)【要約】【課題】信号レベルが低い室内受信のような環境下においては良好な受信が困難である。【解決手段】増幅器２と増幅器２４との間には、増幅器２の出力にその一方の入力が接続されるとともに、増幅器２４の入力に共通端子２２ｃが接続された切り替えスイッチ２２と、この切り替えスイッチ２２の他方の入力に接続された高周波信号入力端子２１と、切り替えスイッチ２２と制御部３５の入力３５ｃに接続されるとともに切り替えスイッチ２２を切り替えるための切り替え信号が入力される制御信号端子３６とを有し、制御部３５は切り替えスイッチ２２を高周波信号入力端子２１側へ切り替える旨の信号が入力されるとともに、電力検波器３４から予め定められた値以上の信号が入力された場合に、増幅器２４をオフするものである。これにより、テレビ放送信号レベルの低い環境下においても、テレビ放送信号を、良好に受信することができる。【選択図】図１
2005252338.tif 000002
【特許請求の範囲】
【請求項１】
高周波信号を受信するアンテナと、このアンテナに入力された信号が供給される第１の増幅器と、この第１の増幅器の出力が供給された第２の増幅器と、この第２の増幅器の出力に接続されたＡＧＣ回路と、このＡＧＣ回路の出力がその一方の入力に接続されるとともに、他方の入力には可変周波数発振器の出力が接続された混合器と、この混合器の出力が接続された中間周波フィルタと、この中間周波フィルタの出力が供給される復調回路と、この復調回路の出力が供給された出力端子と、少なくとも前記ＡＧＣ回路の下流であるとともに前記復調回路よりも上流の信号が接続された電力検波器と、この電力検波器の出力がその第１の入力に接続された制御部とを備え、前記制御部は、その一方の出力が前記第１の増幅器へ接続されて、前記電力検波器からの出力信号が予め定められた値以上である場合に、前記第１の増幅器をオフとする携帯型高周波受信装置において、前記第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有し、前記制御部は前記切り替えスイッチを前記高周波入力端子側へ切り替える旨の信号が入力されるとともに、前記電力検波器から予め定められた値以上の信号が入力された場合に、前記第２の増幅器をオフする携帯型高周波受信装置。
【請求項２】
アンテナあるいは、高周波信号入力端子に入力される信号はデジタル変調された高周波信号であるとともに、復調器と出力端子との間には、前記復調器の出力が接続されるとともに、その一方の出力が前記出力端子に接続された復号回路を有し、前記復号回路の他方の出力と制御回路の第３の入力との間には、前記復号回路における誤り率を判定する判定器が挿入され、前記制御部は前記誤り率が予め定められた値以上であるとともに電力検波器から予め定められた値以上の信号が入力された場合に、第１の増幅器と第２の増幅器のいずれかをオフする請求項１に記載の携帯型高周波受信装置。
【請求項３】
電力検波器は、ＡＧＣ回路の出力に接続された請求項１に記載の携帯型高周波受信装置。
【請求項４】
電力増幅器は、中間周波フィルタの出力が接続された請求項１に記載の携帯型高周波受信装置。
【請求項５】
高周波信号を受信するアンテナと、このアンテナに入力された信号が供給される第１の増幅器と、この第１の増幅器の出力が供給された第２の増幅器と、この第２の増幅器の出力に接続されたＡＧＣ回路と、このＡＧＣ回路の出力がその一方の入力に接続されるとともに、他方の入力には可変周波数発振器の出力が接続された混合器と、この混合器の出力が接続された中間周波フィルタと、この中間周波フィルタの出力が供給される復調回路と、この復調回路の出力が供給された出力端子と、少なくとも前記ＡＧＣ回路の下流であるとともに前記復調回路よりも上流の信号が接続された電力検波器と、この電力検波器の出力がその第１の入力に接続された制御部とを備え、前記制御部は、その一方の出力が前記第１の増幅器へ接続されて、前記電力検波器からの出力信号が予め定められた値以上である場合に、前記第１の増幅器をオフとする携帯型高周波受信装置において、前記第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有した携帯型高周波受信装置に用いる電子チューナにおいて、前記電子チューナは、少なくとも第２の増幅器と、ＡＧＣ回路と、混合器と、中間周波フィルタと、電力検波器とで構成されるとともに、前記制御部へ前記切り替えスイッチが前記高周波入力端子側へ切り替えられる旨の信号と、前記電力検波器から予め定められた値以上の信号とが入力された場合には、前記制御部からの信号に基づき前記第２の増幅器をオフする電子チューナ。
【請求項６】
高周波信号を受信するアンテナと、このアンテナに入力された信号が供給される第１の増幅器と、この第１の増幅器の出力が供給された第２の増幅器と、この第２の増幅器の出力に接続されたＡＧＣ回路と、このＡＧＣ回路の出力がその一方の入力に接続されるとともに、他方の入力には可変周波数発振器の出力が接続された混合器と、この混合器の出力が接続された中間周波フィルタと、この中間周波フィルタの出力が供給される復調回路と、この復調回路の出力が供給された出力端子と、少なくとも前記ＡＧＣ回路の下流であるとともに前記復調回路よりも上流の信号が接続された電力検波器と、この電力検波器の出力がその第１の入力に接続された制御部とを備え、前記制御部は、その一方の出力が前記第１の増幅器へ接続されて、前記電力検波器からの出力信号が予め定められた値以上である場合に、前記第１の増幅器をオフとする携帯型高周波受信装置において、前記第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有した携帯型高周波受信装置に用いる集積回路において、前記集積回路は、少なくとも前記第２の増幅器と、前記ＡＧＣ回路と、前記混合器と、前記電力検波器とが、集積化されるとともに、前記制御部へ前記切り替えスイッチが前記高周波入力端子側へ切り替えられる旨の信号と、前記電力検波器から予め定められた値以上の信号とが入力された場合には、前記制御部からの信号に基づき前記第２の増幅器をオフする集積回路。
【発明の詳細な説明】
【技術分野】
【０００１】
本発明は、テレビ放送受信等に用いる携帯型高周波受信装置に関するものである。
【背景技術】
【０００２】
以下、従来の携帯型高周波受信装置について図面を用いて説明する。図３は、従来の携帯型高周波受信装置の回路ブロック図である。
【０００３】
図３において、従来の携帯型高周波受信装置は、高周波信号を受信する内蔵アンテナ１と、この内蔵アンテナ１に入力された信号が供給される増幅器２と、この増幅器２の出力が接続された増幅器３と、この増幅器３の出力に接続されたＡＧＣ回路４と、このＡＧＣ回路４の出力がその一方の入力６ａに接続されるとともに、他方の入力６ｂには可変周波数発振器５の出力が接続された混合器６と、この混合器６の出力が接続された中間周波フィルタ７と、この中間周波フィルタ７の出力が供給される復調回路８と、この復調回路８の出力が供給された出力端子９とを有していた。
【０００４】
なお、増幅器２にはオン・オフ端子２ａを有し、このオン・オフ端子へ供給する電圧をオン・オフすることで増幅器２をオン・オフすることができるものであった。
【０００５】
次に、ＡＧＣ回路４の出力には、電力検波器１０が接続され、この電力検波器１０の出力と増幅器２のオン・オフ端子２ａとの間に制御部１１が挿入されていた。
【０００６】
そして、制御部１１は、電力検波器１０からの出力信号が予め定められた値以上である場合に、増幅器２をオフとするものであった。
【０００７】
なお、この出願の発明に関連する先行技術文献情報としては、例えば、特許文献１、特許文献２が知られている。
【特許文献１】特開平７−４６１４８号公報
【特許文献２】特開平５−８３１５２号公報
【発明の開示】
【発明が解決しようとする課題】
【０００８】
しかしながらこのような従来の携帯型高周波受信装置では、内蔵アンテナ１が内蔵されているが、この内蔵アンテナ１では、例えばテレビ放送の信号レベルが低い室内受信のような環境下においては良好な受信が困難であるという問題を有していた。
【０００９】
そこで本発明は、この問題を解決したもので、テレビ放送信号レベルの低い環境下においても、テレビ放送信号を、良好に受信することができる携帯型高周波受信装置を提供することを目的としたものである。
【課題を解決するための手段】
【００１０】
この目的を達成するために本発明の携帯型高周波受信装置における第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有し、前記制御部は前記切り替えスイッチを前記高周波入力端子側へ切り替える旨の信号が入力されるとともに、前記電力検波器から予め定められた値以上の信号が入力された場合に、前記第２の増幅器をオフするものである。
【００１１】
これにより、テレビ放送信号レベルの低い環境下においても、テレビ放送信号を、良好に受信することができる。
【００１２】
本発明の請求項１に記載の発明は、高周波信号を受信するアンテナと、このアンテナに入力された信号が供給される第１の増幅器と、この第１の増幅器の出力が供給された第２の増幅器と、この第２の増幅器の出力に接続されたＡＧＣ回路と、このＡＧＣ回路の出力がその一方の入力に接続されるとともに、他方の入力には可変周波数発振器の出力が接続された混合器と、この混合器の出力が接続された中間周波フィルタと、この中間周波フィルタの出力が供給される復調回路と、この復調回路の出力が供給された出力端子と、少なくとも前記ＡＧＣ回路の下流であるとともに前記復調回路よりも上流の信号が接続された電力検波器と、この電力検波器の出力がその第１の入力に接続された制御部とを備え、前記制御部は、その一方の出力が前記第１の増幅器へ接続されて、前記電力検波器からの出力信号が予め定められた値以上である場合に、前記第１の増幅器をオフとする携帯型高周波受信装置において、前記第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有し、前記制御部は前記切り替えスイッチを前記高周波入力端子側へ切り替える旨の信号が入力されるとともに、前記電力検波器から予め定められた値以上の信号が入力された場合に、前記第２の増幅器をオフする携帯型高周波受信装置であり、これにより、高周波信号入力端子と、切り替えスイッチを有しているので、アンテナと高周波信号入力端子を切り替えることが可能となる。つまり、高周波信号入力端子へ受信感度の良好な固定アンテナなどから供給される信号レベルの高い放送信号を供給してやることができるので、内蔵したアンテナでの受信では信号レベルが低くなる室内などにおいても、テレビ放送を良好に受信することができる。
【００１３】
また高周波信号入力端子から供給された高周波入力信号が強入力レベルである際に、第２の増幅器をオフできるので、強入力レベル受信時における歪み特性を改善することが可能となる。
【００１４】
一般に、内蔵のアンテナに比べて固定アンテナの方が受信感度が良好であるので、高周波信号入力端子へ切り替えた場合の方が、大きなレベルの信号が入力されることとなる。従って、高周波信号入力端子から入力した信号が増幅器で歪みが発生するような信号である場合に、電力検波器で検波した電力の大きさに応じて、制御部は第２の増幅器をオフすることとなる。これによって、増幅器が入力信号を減衰させることができ、強入力レベルの信号受信時における歪み特性の良好な携帯型高周波受信装置を実現することができる。
【００１５】
請求項２に記載の発明は、アンテナあるいは、高周波信号入力端子に入力される信号はデジタル変調された高周波信号であるとともに、復調器と出力端子との間には、前記復調器の出力が接続されるとともに、その一方の出力が前記出力端子に接続された復号回路を有し、前記復号回路の他方の出力と制御回路の第３の入力との間には、前記復号回路における誤り率を判定する判定器が挿入され、前記制御部は前記誤り率が予め定められた値以上であるとともに電力検波器から予め定められた値以上の信号が入力された場合に、第１の増幅器と第２の増幅器のいずれかをオフする請求項１に記載の携帯型高周波受信装置であり、これにより、受信信号の希望波における、前記復号回路の誤り率を判定する判定器でもって受信状態を判別するため、妨害波の影響による不要なフィードバックがかからず、安定した受信ができる携帯型高周波受信装置を提供することができる。
【００１６】
請求項３に記載の発明は、電力検波器は、ＡＧＣ回路の出力に接続された請求項１に記載の携帯型高周波受信装置であり、電力検波器にはＡＧＣ回路の出力が供給される為、例えば受信する近傍のチャンネルにおける高周波入力信号の信号レベルを検知することができる。従って受信希望チャンネル以外の信号による増幅器の歪み発生を少なくすることが可能となる。
【００１７】
請求項４に記載の発明は、電力増幅器は、中間周波フィルタの出力が接続された請求項１に記載の携帯型高周波受信装置であり、電力検波器には中間周波フィルタからの出力信号が供給されるので、高周波受信信号の希望波信号の信号レベルに応じて増幅器をオン・オフできる。従って、希望波信号自体が強入力レベルである場合に、増幅器での信号の歪みを小さくできる。
【００１８】
そして、希望波信号の電力を増幅することにより、必要となる復調回路入力信号レベルに増幅することが可能な携帯型高周波受信装置を提供することができる。
【００１９】
請求項５に記載の発明は、高周波信号を受信するアンテナと、このアンテナに入力された信号が供給される第１の増幅器と、この第１の増幅器の出力が供給された第２の増幅器と、この第２の増幅器の出力に接続されたＡＧＣ回路と、このＡＧＣ回路の出力がその一方の入力に接続されるとともに、他方の入力には可変周波数発振器の出力が接続された混合器と、この混合器の出力が接続された中間周波フィルタと、この中間周波フィルタの出力が供給される復調回路と、この復調回路の出力が供給された出力端子と、少なくとも前記ＡＧＣ回路の下流であるとともに前記復調回路よりも上流の信号が接続された電力検波器と、この電力検波器の出力がその第１の入力に接続された制御部とを備え、前記制御部は、その一方の出力が前記第１の増幅器へ接続されて、前記電力検波器からの出力信号が予め定められた値以上である場合に、前記第１の増幅器をオフとする携帯型高周波受信装置において、前記第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有した携帯型高周波受信装置に用いる電子チューナにおいて、前記電子チューナは、少なくとも第２の増幅器と、ＡＧＣ回路と、混合器と、中間周波フィルタと、電力検波器とで構成されるとともに、前記制御部へ前記切り替えスイッチが前記高周波入力端子側へ切り替えられる旨の信号と、前記電力検波器から予め定められた値以上の信号とが入力された場合には、前記制御部からの信号に基づき前記第２の増幅器をオフする電子チューナであり、これにより高周波信号入力端子と、切り替えスイッチを有しているので、内蔵アンテナと高周波信号入力端子を切り替えることが可能となる。つまり、高周波信号入力端子へ受信感度の良好な固定アンテナなどから供給された信号レベルの高い放送信号を供給してやることができるので、内蔵したアンテナでの受信では信号レベルが低くなる室内などにおいても、テレビ放送を良好に受信することができる電子チューナを実現できる。
【００２０】
また高周波信号入力端子から供給された高周波入力信号が強入力レベルである際に、第２の増幅器をオフできるので、強入力レベル受信時における電子チューナの歪み特性を改善することが可能となる。
【００２１】
さらに、高周波受信信号の希望波を必要となる復調回路入力レベルに増幅ないしは減衰させ、必要となる復調回路入力周波数に変換させることが可能な電子チューナを提供することができる。
【００２２】
請求項６に記載の発明は、高周波信号を受信するアンテナと、このアンテナに入力された信号が供給される第１の増幅器と、この第１の増幅器の出力が供給された第２の増幅器と、この第２の増幅器の出力に接続されたＡＧＣ回路と、このＡＧＣ回路の出力がその一方の入力に接続されるとともに、他方の入力には可変周波数発振器の出力が接続された混合器と、この混合器の出力が接続された中間周波フィルタと、この中間周波フィルタの出力が供給される復調回路と、この復調回路の出力が供給された出力端子と、少なくとも前記ＡＧＣ回路の下流であるとともに前記復調回路よりも上流の信号が接続された電力検波器と、この電力検波器の出力がその第１の入力に接続された制御部とを備え、前記制御部は、その一方の出力が前記第１の増幅器へ接続されて、前記電力検波器からの出力信号が予め定められた値以上である場合に、前記第１の増幅器をオフとする携帯型高周波受信装置において、前記第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有した携帯型高周波受信装置に用いる集積回路において、前記集積回路は、少なくとも前記第２の増幅器と、前記ＡＧＣ回路と、前記混合器と、前記電力検波器とが、集積化されるとともに、前記制御部へ前記切り替えスイッチが前記高周波入力端子側へ切り替えられる旨の信号と、前記電力検波器から予め定められた値以上の信号とが入力された場合には、前記制御部からの信号に基づき前記第２の増幅器をオフする集積回路であり、携帯型高周波受信装置に要求される小型化・低消費電力化を可能とすることが可能となる。
【発明の効果】
【００２３】
以上のように本発明によれば、第１の増幅器と前記第２の増幅器との間には、前記第１の増幅器の出力にその一方の入力が接続されるとともに、前記第２の増幅器の入力に共通端子が接続された切り替えスイッチと、この切り替えスイッチの他方の入力に接続された高周波信号入力端子と、前記切り替えスイッチと前記制御部の第２の入力に接続されるとともに前記切り替えスイッチを切り替えるための切り替え信号が入力される切り替え端子とを有し、前記制御部は前記切り替えスイッチを前記高周波入力端子側へ切り替える旨の信号が入力されるとともに、前記電力検波器から予め定められた値以上の信号が入力された場合に、前記第２の増幅器をオフするものである。
【００２４】
これにより、高周波信号入力端子と、切り替えスイッチを有しているので、内蔵アンテナと高周波信号入力端子を切り替えることが可能となる。つまり、高周波信号入力端子へ受信感度の良好な固定アンテナなどから供給された信号レベルの高い放送信号を供給してやることができるので、内蔵したアンテナでの受信では信号レベルが低くなる室内などにおいても、テレビ放送を良好に受信することができる。
【００２５】
また高周波信号入力端子から入力した信号が増幅器で歪みが発生するような信号である場合に、電力検波器で検波した電力の大きさに応じて、制御部は第２の増幅器をオフすることとなる。これによって、増幅器が入力信号を減衰させることができ、強入力レベルの信号受信時における歪み特性の良好な携帯型高周波受信装置を実現することができる。さらに、第１の増幅器により、高周波受信信号を受信するアンテナのアンテナエレメントを小型化することが可能となり、携帯型高周波受信装置に要求される小型の内蔵アンテナを提供することができる。
【発明を実施するための最良の形態】
【００２６】
（実施の形態１）
以下、本発明の実施の形態１について、図面を用いて説明する。図１は、本発明の実施の形態１における携帯型高周波受信装置のブロック図である。なお、図１において図３と同じ物は同じ番号とし、その説明は簡略化してある。
【００２７】
図１において、１はアンテナであり、このアンテナ１は、高周波受信装置に内蔵されたものであり、９０ＭＨｚから７７０ＭＨｚのデジタル変調された高周波信号を受信するものである。そしてこのアンテナ１は、携帯用途に適する為に、小形化することが必要であるので、このアンテナ１のエレメント長を、受信する周波数における波長の１／４の長さよりも短くしている。
【００２８】
２は、アンテナ１の出力が接続された増幅器である。この増幅器２は、アンテナ１のエレメント長を短くしたことによる受信信号の利得不足分を補う目的で使用されており、１５ｄＢの利得を有している。なお、アンテナ１と増幅器２とでアクティブアンテナ３７を構成している。これによって、本実施の形態１におけるアンテナ１は、その長さを約４０ｍｍで実現している。
【００２９】
２１は外部アンテナ接続用の高周波信号入力端子である。高周波信号入力端子２１に外部アンテナを接続することにより、内蔵のアンテナ１以外で高周波受信信号を受信することができる。
【００３０】
これにより、高周波信号入力端子へ受信感度の良好な固定アンテナなどから供給された信号レベルの高い放送信号を供給してやることができるので、内蔵したアンテナでの受信では信号レベルが低くなる室内などにおいても、テレビ放送を良好に受信することができる。
【００３１】
２２は切り替えスイッチである。この切り替えスイッチ２２の入力端子２２ａには増幅器２の出力が接続されるとともに、入力端子２２ｂには高周波信号入力端子２１が接続される。そして、この切り替えスイッチ２２を切り替えることにより、アンテナ１もしくは高周波信号入力端子２１からの高周波信号を共通端子２２ｃへ出力する。
【００３２】
２３は、切り替えスイッチ２２の共通端子２２ｃが接続された受信帯域フィルタであり、受信帯域フィルタ２３によって、アンテナ１や高周波信号入力端子２１から供給された高周波入力信号の中から受信帯域外の不要な信号を除去するものである。なお、本実施の形態１においては、複同調型のフィルタを用いている。
【００３３】
２４は受信帯域フィルタ２３の出力が接続された増幅器である。この増幅器２４は、高周波受信信号レベルを増幅させ受信感度を向上させる目的で使用されており、２０ｄＢの利得を有している。なお、この増幅器２４には、この増幅器２４をオン・オフするためのオン・オフ端子２４ａを有している。
【００３４】
２５は、ＡＧＣ回路である。このＡＧＣ回路２５は、高周波受信信号レベルの変動に対して、所望の復調器入力レベルに調整するためのものであり、ＡＧＣ回路２５の入力には増幅器２４の出力が接続されている。
【００３５】
２７は混合器である。混合器２７は高周波受信信号を所望の復調器入力周波数に変換させるものであり、混合器の入力２７ａにはＡＧＣ回路２５の出力が接続されるとともに、入力２７ｂには可変周波数発振器２６の出力がそれぞれ接続されている。なお、本実施の形態１における混合器２７は、イメージ・リジェクション・ミキサを用いているので、イメージ妨害に強い。これによりイメージ妨害が生じにくくなるので、一般的なシングルコンバージョン方式の電子チューナのように、増幅器２４の上流と下流それぞれに同調型フィルタを設けなくても良くなる。従って、回路が簡素化されるので、低価格な携帯型高周波受信装置を実現することができる。
【００３６】
２８は、混合器２７の出力が接続された中間周波フィルタである。この中間周波フィルタ２８は、周波数変換された高周波受信信号の不要な信号を排除し、希望信号のみを選択するものである。
【００３７】
２９は、中間周波フィルタ２８の出力が接続された増幅器である。この増幅器２９は、周波数変換された高周波受信信号の希望波信号レベルを増幅させるものである。
【００３８】
３０は、増幅器２９の出力が接続された復調器である。この復調器３０は、デジタル変調された受信信号を復調するものである。
【００３９】
３１は、前方誤り訂正回路（以降ＦＥＣという）である。ＦＥＣ３１は復調されたデジタル信号のエラー訂正をするものである。ＦＥＣ３１の入力には復調器３０の出力が接続されており、その一方の出力３１ａが出力端子９に接続されるとともに、他方の出力３１ｂが、ビットエラーレート（以降ＢＥＲという）検知回路３２の入力に接続されている。
【００４０】
なお、ＢＥＲ検知回路３２はＦＥＣ３１内のビタビエラー訂正後のＢＥＲを検知するものである。
【００４１】
３３は、ＢＥＲ検知回路３２の出力が接続された判定器である。この判定器３３は、ＢＥＲ検知回路３２で検知したビタビエラー訂正後のＢＥＲが閾値以上であれば、ＢＥＲが閾値以上である旨の出力信号を制御部３５の入力３５ｂに出力する。なお、本実施の形態１においては、この閾値を０．０００１としてある。
【００４２】
なお、本実施の形態１においては、復調器３０、ＦＥＣ３１とＢＥＲ検知回路３２とはひとつのＩＣ３９内に集積化されているので、小型な高周波受信装置を実現することができる。
【００４３】
３４は、ＡＧＣ回路２５の出力が接続された電力検波器であり、この電力検波器３４の出力は制御部３５の入力３５ａに接続されている。これにより、電力検波器３４は、ＡＧＣ回路２５の出力電力を検波し、その検波した信号を制御部３５に出力する。
【００４４】
３６は切り替えスイッチ２２と制御部３５の入力３５ｃに接続される制御信号端子であり、この制御信号端子３６へ入力される信号によって、切り替えスイッチ２２は、アンテナ１と増幅器２とで構成されるアクティブアンテナ３７あるいは高周波信号入力端子２１からのいずれか一方の信号を受信帯域フィルタ２３へ供給するものである。
【００４５】
ここで、制御部３５の出力は、スイッチ３５ｄを介し増幅器２４のオン・オフ端子２４ａへ接続されるとともに、スイッチ３５ｅを介して増幅器２のオン・オフ端子２ａへ供給される。これにより、制御部３５は、スイッチ３５ｄに対し増幅器２４をオン・オフする旨の制御信号を供給し、スイッチ３５ｅに対し増幅器２をオン・オフする旨の制御信号を出力する。次に以上のように構成された携帯型高周波受信装置について、以下にその動作を説明する。
【００４６】
表１は、アンテナ１もしくは高周波信号入力信号２１で高周波信号を受信した際、受信信号の入力レベルに応じて、スイッチ３５ｄとスイッチ３５ｅの制御信号および切り替えスイッチ２２の接続状態を示したものである。
【００４７】
【表１】
2005252338.tif 000003
【００４８】
まず、アンテナ１で高周波信号を受信する場合、切り替えスイッチ２２を２２ａ側に接続し、３５ｄ，３５ｅをオンの状態として増幅器２４と、増幅器２とをオンの状態とする。これによって、増幅器２４では、約２０ｄＢ増幅し、増幅器２では、約１５ｄＢ増幅させる。電力検波器３４および判定器３３にて受信した高周波信号の入力レベルを判断し、受信した高周波信号が−３０ｄＢｍ未満の弱入力レベルであった場合には、その状態のまま維持する。
【００４９】
しかし、受信した高周波信号が−３０ｄＢｍ以上の強入力レベルであった場合には、３５ｅをオフして増幅器２をオフする。これにより増幅器２の増幅量を減少することによって、良好な歪み特性を有した携帯型高周波受信装置を実現することができる。
【００５０】
なおここで、入力された高周波信号は、増幅器２のアイソレーションによって減衰されて、受信帯域フィルタ２３に入力されることとなる。これにより、−３０ｄＢｍ以上のような強入力レベルにおいても受信装置の歪みを防止することができる。
【００５１】
次に、高周波信号入力端子２１側より高周波信号を受信する場合、制御信号端子３６より切り替えスイッチ２２と制御部３５に対し、切り替えスイッチ２２を高周波入力端子側に切り替える旨の制御信号が入力される。これにより、切り替えスイッチ２２を２２ｂ側に切り替えるとともに、３５ｄをオンとし、増幅器２４をオンとする。なお、本実施の形態１において高周波信号入力端子２１側より高周波信号を受信する場合、３５ｅは常にオフの状態とすることで、増幅器２をオフの状態にする。これによって、増幅器２が動作しないので、消費電力を少なくすることができる。これは、携帯型高周波受信装置においては非常に重要なことである。
【００５２】
ここで、電力検波器３４および判定器３３にて受信した高周波信号の入力レベルを判断する。そして、受信した高周波信号が−３０ｄＢｍ未満の弱入力レベルであった場合、３５ｄはオンの状態のままであり、増幅器２４はオンの状態で２０ｄＢの利得で増幅する。
【００５３】
しかし、受信した高周波信号が−３０ｄＢｍ以上の強入力レベルであった場合、３５ｄをオフして増幅器２４をオフし、受信する高周波信号のレベルを減衰させることにより、ＡＧＣ回路２５における高周波信号の歪みを小さくすることができ、携帯型高周波受信装置の歪みを防止することができる。なお、ここで切り替えスイッチ２２、受信帯域フィルタ２３、増幅器２４、ＡＧＣ回路２５、可変周波数発振器２６、増幅器２７、中間周波フィルタ２８、増幅器２９や、ＩＣ３９はひとつの金属製筐体内に収納されて電子チューナを構成している。これによって高周波回路が金属製筐体内に収納されることによって、外部からの妨害などを受け難くなる。
【００５４】
また、増幅器２４、ＡＧＣ回路２５、可変周波数発振器２６、混合器２７と増幅器２９は、ひとつの集積回路３８内に集積化して収納しているので、電子チューナや携帯型高周波受信装置を小型化することができる。
【００５５】
更にまた、増幅器２もしくは増幅器２４のオン・オフ制御でＡＧＣ回路２５の歪み特性を改善することにより、必要とされる受信帯域フィルタ２３の遮断特性を緩和することができ、フィルタ回路構成を簡素化して、電子チューナや携帯型高周波受信装置を小型化することができる。
【００５６】
（実施の形態２）
以下、本発明の実施の形態２について、図面を用いて説明する。図２は、本発明の実施の形態２における携帯型高周波受信装置のブロック図である。ここで、実施の形態１における電子チューナは、シングルコンバージョン方式であったが、本実施の形態２においては、電子チューナにダブルコンバージョン方式を用いている。なお、図２において、図１と同じ物については、同じ番号を付しその説明は簡略化する。
【００５７】
図２において、２は増幅器であり、この増幅器２の入力にはアンテナ１の出力が接続されている。この増幅器２には、この増幅器２をオン・オフするオン・オフ端子２ａを有している。なお、アンテナ１と増幅器２でアクティブアンテナ３７を構成している。
【００５８】
２１は外部アンテナ接続用の高周波信号入力端子であり、この高周波信号入力端子２１へ外部アンテナを接続することにより、アクティブアンテナ３７を用いずとも高周波受信信号を受信することができる。
【００５９】
２２は切り替えスイッチである。切り替えスイッチ２２の入力端子２２ａには増幅器２の出力が接続されるとともに、入力端子２２ｂには高周波信号入力端子２１が接続され、この共通端子２２ｃが、受信帯域フィルタ４１の入力に接続されている。そして、この切り替えスイッチ２２を切り替えることにより、アンテナ１もしくは高周波信号入力端子２１のいずれかから入力された高周波信号を選択的に受信帯域フィルタ４１へ伝送することができる。
【００６０】
４１は受信帯域フィルタである。受信帯域フィルタ４１の入力には切り替えスイッチ２２の共通端子２２ｃが接続されており、受信帯域フィルタ４１は帯域外の不要な信号を除去する固定型バンドパスフィルタである。本実施の形態２においては、ダブルコンバージョン方式を用いているので、この受信帯域フィルタ４１として固定フィルタを用いることができる。従って、回路を簡素化することができ、低価格かつ小型な携帯型高周波受信装置を実現することができる。
【００６１】
４２は増幅器であり、この増幅器４２の入力には受信帯域フィルタ４１の出力が接続されている。そしてこの増幅器４２は、高周波受信信号レベルを増幅させ受信感度を向上させる目的で使用されており、２０ｄＢの利得を有している。なお、増幅器４２には、この増幅器４２をオン・オフするためのオン・オフ端子４２ａを有している。
【００６２】
４３はＡＧＣ回路である。ＡＧＣ回路４３は、高周波受信信号レベルの変動に対して、所望の復調器入力レベルに調整するためのものであり、ＡＧＣ回路４３の入力には増幅器４２の出力が接続されている。
【００６３】
４５は混合器である。混合器４５は高周波入力信号を、約１．２ＧＨｚの第１中間周波数に変換させるものであり、混合器の入力４５ａにはＡＧＣ回路４３の出力が、入力４５ｂには可変周波数発振器４４の出力がそれぞれ接続されている。
【００６４】
４６は混合器４５の出力が接続された第１中間周波フィルタである。この第１中間周波フィルタ４６は、第１中間周波数に変換された高周波入力信号の不要な信号を排除し、希望信号のみを選択するものである。そのため、この中間周波フィルタ４６の通過帯域の中心周波数は、第１中間周波数と略同じである。そして、その通過帯域は、１チャンネル分の周波数信号が通過できる範囲で、できる限り狭い帯域とすることが望ましい。なお、本実施の形態における中間周波フィルタ４６の通過帯域は、約６ＭＨｚとしてある。
【００６５】
４７は増幅器である。増幅器４７は第１中間周波数に変換された高周波入力信号の希望波信号レベルを増幅させるものである。増幅器４７の入力には第１中間周波フィルタ４６の出力が接続されている。
【００６６】
４９は混合器である。混合器４９は第１中間周波数に変換された受信信号を第２中間周波数に変換させるものであり、混合器の入力４９ａには増幅器４７の出力が接続されるとともに、入力４９ｂには可変周波数発振器４８の出力がそれぞれ接続されている。
【００６７】
５０は第２中間周波フィルタである。第２中間周波フィルタ５０は、第２中間周波数以外の不要な信号を排除し、希望信号のみを選択するものである。第２中間周波フィルタ５０の入力には混合器４９の出力が接続されている。
【００６８】
５１は増幅器である。増幅器５１は第２中間周波数に変換された受信信号の希望波信号レベルを増幅させるものである。増幅器５１の入力には第２中間周波フィルタ５０の出力が接続されている。
【００６９】
５２は復調器である。復調器５２はデジタル変調された受信信号を復調するものである。復調器５２の入力には増幅器５１の出力が接続されている。
【００７０】
５３はＦＥＣである。ＦＥＣ５３は復調されたデジタル信号のエラー訂正をするものである。ＦＥＣ５３の入力には復調器５２の出力が接続されており、一方の出力端子５３ａは出力端子９に接続されており、他方の出力端子５３ｂはＢＥＲ検知回路５４の入力に接続されている。
【００７１】
ＢＥＲ検知回路５４はＦＥＣ５３内のビタビエラー訂正後のＢＥＲを検知するものである。
【００７２】
５５は判定器である。判定器５５は、ＢＥＲ検知回路５４の出力が接続され、ＢＥＲ検知回路５４で検知されたビタビエラー訂正後のＢＥＲが閾値である０．０００１以上であれば、制御部５７の入力５７ｂに閾値以上である旨の出力信号を出力する。
【００７３】
５６は、第１中間周波フィルタ４６の出力が供給された電力検波器であり、この電力検波器５６の出力が、制御部５７の入力５７ａに接続されている。そして、この電力検波器５６は、第１中間周波フィルタ４６の出力電力を検波し、その検波信号を制御部５７に出力する。
【００７４】
３６は切り替えスイッチ２２の制御信号端子である。高周波信号入力端子２１に高周波信号が入力されたことにより、制御信号端子３６には、切り替えスイッチ２２および制御部５７の入力５７ｃに高周波信号入力端子２１側に切り替える旨の信号が入力される。
【００７５】
制御部５７の出力には、スイッチ５７ｄおよびスイッチ５７ｅが接続されており、スイッチ５７ｄへ増幅器４２のオン・オフ端子４２ａをオン・オフする旨の制御信号を出力し、スイッチ５７ｅへ増幅器２のオン・オフ端子２ａをオン・オフする旨の制御信号を出力する。
【００７６】
次に以上のように構成された携帯型高周波受信装置について、以下にその動作を説明する。
【００７７】
まずアンテナ１で高周波信号を受信する場合について説明する。この場合、切り替えスイッチ２２は２２ａ側に接続され、５７ｄ，５７ｅはオンの状態とすることで、増幅器２，４２を動作させている。本実施の形態２において、増幅器４２は２０ｄＢの利得を有し、増幅器２は、１５ｄＢの利得を有している。
【００７８】
そこで、受信した高周波入力信号に対して電力検波器５６および判定器５５にて入力レベルを判断する。そのとき、受信した高周波信号が−３０ｄＢｍ未満の弱入力レベルであった場合には、その状態を維持する。
【００７９】
しかし、受信した高周波信号が−３０ｄＢｍ以上の強入力レベルであった場合、５７ｅをオフして増幅器２をオフする。これによって、入力した高周波信号を減衰させているので携帯型高周波受信装置の歪みを防止することができる。
【００８０】
次に、高周波信号入力端子２１で高周波信号を受信する場合について説明する。この場合制御信号端子３６には、切り替えスイッチ２２と制御部５７に対し、切り替えスイッチを高周波入力端子２１側に切り替える旨の制御信号が入力され、切り替えスイッチ２２は２２ｂ側に切り替えられるとともに、スイッチ５７ｄをオンとし、増幅器４２を動作状態にしておく。これにより増幅器４２は、約１５ｄＢの利得で信号を増幅する。なおここで、スイッチ５７ｅはオフとし、増幅器２はオフの状態としておくと良い。これは、増幅器２をオフとすることで、携帯型高周波受信装置の消費電力を小さくすることができるためである。
【００８１】
そして、受信した高周波信号に対して電力検波器５６および判定器５５にて入力レベルを判断し、受信した高周波信号が−３０ｄＢｍ未満の弱入力レベルであった場合、その状態のままで維持する。
【００８２】
しかし、受信した高周波信号が−３０ｄＢｍ以上の強入力レベルであった場合、５７ｄをオフして増幅器４２をオフさせ増幅量を減衰させ、携帯型高周波受信装置の歪みを防止する。
【００８３】
以上のように本実施の形態２においては、ダブルコンバージョン方式としているので、妨害に強い携帯型高周波受信装置を実現することができる。
【００８４】
なお、本実施の形態２において、増幅器４２、ＡＧＣ回路４３、可変周波数発振器４４、混合器４５、増幅器４７、可変周波数発振器４８、混合器４９、第２中間周波フィルタ５０、増幅器５１、判定器５５、電力検波器５６と制御部５７とはひとつの集積回路内に集積化されている。従って、小型な携帯型高周波受信装置を実現することができる。
【産業上の利用可能性】
【００８５】
本発明にかかる携帯型高周波受信装置は、テレビ放送信号レベルの低い環境下においても、テレビ放送信号を、良好に受信することができるという効果を有し、特に携帯用高周波受信装置等に対して利用すると有用である。
【図面の簡単な説明】
【００８６】
【図１】本発明の実施の形態１における携帯型高周波受信装置のブロック図
【図２】本発明の実施の形態２における携帯型高周波受信装置のブロック図
【図３】従来の携帯型高周波受信装置のブロック図
【符号の説明】
【００８７】
１  アンテナ
２  増幅器
９  出力端子
２１  高周波信号入力端子
２２  切り替えスイッチ
２４  増幅器
２５  ＡＧＣ回路
２６  可変周波数発振器
２７  混合器
２８  中間周波フィルタ
３０  復調器
３４  電力検波器
３５  制御部
【図１】
2005252338.tif 000004
【図２】
2005252338.tif 000005
【図３】
2005252338.tif 000006